(57)【要約】      （修正有）【課題】通信装置のアンテナ機能に対する影響を効果的に抑制可能な電気コネクタを提供する。【解決手段】絶縁外殻１０は上壁１１、底壁１２、後壁１３、及び相対する２個の側壁１４を備え、収容空間１５は上壁１１、底壁１２、後壁１３、２個の側壁１４の間に形成され、後壁１３の中央部には後方へと貫通する収容部を開設し、該収容部の前端中央部には収容空間１５と収容部に通じる挿入接続部を開設し、絶縁本体２０は収容部に収容して設置するコネクタ本体２１、及びコネクタ本体２１前端中央部から延伸し、しかも挿入接続部を貫通し、収容空間１５中央部に収容される舌部２２を備え、導電端子３０は絶縁本体２０内に固定し、本電気コネクタ１は、従来の金属外殻を絶縁外殻１０に置換することで、電気コネクタ１の通信装置のアンテナ機能に対する影響を効果的に抑制することができる。【選択図】図３
0003171221.tif 000002
【実用新案登録請求の範囲】
【請求項１】
電気コネクタは、絶縁外殻、絶縁本体、複数の導電端子を備え、
前記絶縁外殻は、上壁、底壁、後壁、及び相対する２個の側壁を備え、収容空間は、前記上壁、前記底壁、前記後壁、前記２個の側壁の間に形成され、前記後壁の中央部には、後方へと貫通する収容部を開設し、前記収容部の前端中央部には、前記収容空間と前記収容部に通じる挿入接続部を開設し、前記絶縁本体は、前記絶縁外殻の収容部内に収容して設置する主体部、及び前記主体部前端中央部から延伸し、しかも前記絶縁外殻の挿入接続部を貫通し、前記収容空間中央部に収容される舌部を備え、
前記複数の導電端子は、前記絶縁本体内に固定し、前記導電端子は、前記舌部底側に露出する接触アーム、前記接触アームの一端が延伸して形成する連接部、及び前記連接部の末端が、前記接触アームと反対方向に延伸して形成する半田付け部を備え、前記連接部は、前記主体部内に固定し、前記半田付け部は、前記主体部底部において露出することを特徴とする電気コネクタ。
【請求項２】
前記電気コネクタはさらに、前記絶縁外殻の頂点壁内側に固定する金属片を備えることを特徴とする請求項１に記載の電気コネクタ。
【請求項３】
前記金属片は、前記絶縁外殻の上壁内側に固定する基板を備え、
前記基板の両側には、それぞれ開口を設置し、
前記開口の前端縁は、上方へと突出してはめ込み保持部を形成し、
前記絶縁外殻の頂点壁両側には、前記収容空間と通じ、かつ前記金属片の開口と相互に対応する収容設置部をそれぞれ形成し、
前記はめ込み保持部は、前記収容設置部内に位置することを特徴とする請求項２に記載の電気コネクタ。
【請求項４】
前記はめ込み保持部は、前記開口の前端から後方へと延伸し、上方へ曲げて突出して形成することを特徴とする請求項３に記載の電気コネクタ。
【請求項５】
前記開口は前後に延伸し、
前記開口の後端縁は下方へと曲げて延伸し、前記収容空間後端に位置する停止部を形成することを特徴とする請求項３に記載の電気コネクタ。
【請求項６】
前記基板の前端は、上方へと曲げ、前方へと傾斜するスライドガイド片を形成し、
前記頂点壁の内側から進出して上方に向かい、前記頂点壁前端の底部において緊密に固定されることを特徴とする請求項３に記載の電気コネクタ。
【請求項７】
前記基板の両側は、それぞれ外へと水平に延伸し、２個の側翼を形成し、前記絶縁外殻の２個の側壁の内側に、それぞれ固定して設置することを特徴とする請求項３に記載の電気コネクタ。
【請求項８】
前記金属片の一方の側翼の一端は、外へと向かい延伸し、延伸片を形成し、相互に対応する絶縁本体の一方の側壁内に固定することを特徴とする請求項７に記載の電気コネクタ。
【請求項９】
前記電気コネクタはさらに、２個の半田付け補助片を備え、前記絶縁外殻の２個の側壁内にそれぞれ固定して設置し、しかも半田付け補助片の底部は、前記絶縁外殻側壁下方に伸び出すことを特徴とする請求項１に記載の電気コネクタ。
【請求項１０】
前記収容部の底端中央部には、下方へ向かい、後方へと貫通する貫通部を開設し、
前記導電端子の半田付け部は、前記貫通部内に定位し、しかも前記貫通部を下方へと貫通し、前記主体部底部において露出することを特徴とする請求項１に記載の電気コネクタ。
【考案の詳細な説明】
【技術分野】
【０００１】
本考案は電気コネクタに関し、特に通信装置中に応用する電気コネクタに関する。
【背景技術】
【０００２】
IT産業の急速な発展に従い、通信装置は人々の日常生活と業務に幅広く応用されるようになっている。これに伴い、各種さまざまな電気コネクタが開発され、各通信装置においてなくてはならないものとなっている。通常、通信装置中に応用される電気コネクタは、一般に絶縁本体を備え、複数の導電端子と金属ハウジングが絶縁本体表面を覆って蓋をする。
【０００３】
しかし、電気コネクタの金属ハウジングは、通信装置内に設置するアンテナに対して干渉を生じさせる。特に、電気コネクタをアンテナの付近に置いた場合には、アンテナの正常な機能に影響を及ぼす。本考案は、従来の電気コネクタの上記した欠点に鑑みてなされたものである。
【考案の概要】
【考案が解決しようとする課題】
【０００４】
本考案が解決しようとする課題は、通信装置のアンテナ機能に対する影響を効果的に抑制可能な電気コネクタを提供することである。
【課題を解決するための手段】
【０００５】
上記課題を解決するため、本考案は下記の電気コネクタを提供する。
電気コネクタは、絶縁外殻、絶縁本体、複数の導電端子を備え、
該絶縁外殻は、上壁、底壁、後壁、及び相対する２個の側壁を備え、収容空間は、該上壁、該底壁、該後壁、該２個の側壁の間に形成され、該後壁の中央部には、後方へと貫通する収容部を開設し、該収容部の前端中央部には、該収容空間と該収容部に通じる挿入接続部を開設し、
該絶縁本体は、該絶縁外殻の収容部内に収容して設置するコネクタ本体、及び該コネクタ本体前端中央部から延伸し、しかも該絶縁外殻の挿入接続部を貫通し、該収容空間中央部に収容される舌部を備え、
該導電端子は、該絶縁本体内に固定し、該導電端子は、該舌部底側に露出する接触アーム、該接触アームの一端が延伸して形成する連接部、及び該連接部の末端が、該接触アームと反対方向に延伸して形成する半田付け部を備え、該連接部は、該主体部内に固定し、該半田付け部は、該コネクタ本体底部において露出する。
【考案の効果】
【０００６】
本考案の電気コネクタは、従来の電気コネクタの金属外殻を絶縁外殻に置換することで、電気コネクタの通信装置のアンテナ機能に対する影響を効果的に抑制することができる。
【図面の簡単な説明】
【０００７】
【図１】本考案電気コネクタの立体図である。
【図２】図１に示す本考案電気コネクタの別の角度からの立体図である。
【図３】図１に示す電気コネクタの立体分解図である。
【図４】図１に示す電気コネクタの絶縁外殻の立体図である。
【図５】図１に示す電気コネクタの絶縁本体と導電端子を組み合わせた様子を示す立体図である。
【図６】図１に示す電気コネクタの縦方向断面図である。
【図７】図１に示す電気コネクタの横方向断面図である。
【考案を実施するための形態】
【０００８】
以下に図面を参照しながら本考案を実施するための形態について詳細に説明する。
【実施例】
【０００９】
図１、２、３に示すように、本考案電気コネクタ１の実施例は、プラグコネクタである。図に示すように、電気コネクタ１は、絶縁外殻１０、絶縁本体２０、複数の導電端子３０、２個の半田付け補助片４０、金属片５０を備える。
【００１０】
図３、４に示すように、絶縁外殻１０は長方形状を呈し、上壁１１、底壁１２、後壁１３、及び相対する２個の側壁１４を備える。収容空間１５は、上壁１１、底壁１２、後壁１３、２個の側壁１４の間に形成される。２個の側壁１４には、前後に延伸し、しかも上下に貫通するはめ込み保持部１６をそれぞれ開設する。上壁１１両側には、上壁１１を貫通する収容設置部１７をそれぞれ開設する。後壁１３の中央部には、後方へと貫通する収容部１３１を開設する。収容部１３１の底端中央部には、下向きに後へ向かい貫通する貫通部１３２を、下方へと開設する。
収容部１３１の前端中央部には、収容空間１５と収容部１３１に通じる挿入接続部１３３を開設する。
【００１１】
図３に示すように、絶縁本体２０は、長方形状のコネクタ本体２１、及びコネクタ本体２１前端中央部から延伸する舌部２２を備える。舌部２２下端には、後方へとコネクタ本体２１を貫通する複数の端子部２３を開設する。コネクタ本体２１の両側には、はめ込み保持ブロック２１１をそれぞれ突出状に設置する。
【００１２】
図３に示すように、導電端子３０は、水平に延伸する棒状の接触アーム３１を備える。
接触アーム３１の一端は、垂直に下方へと曲げて延伸し、連接部３２を形成する。連接部３２の末端は、接触アーム３１と反対方向に延伸し、半田付け部３３を形成する。半田付け補助片４０は、矩形板状の固定保持部４１、及び固定保持部４１底端中央部から、下方へと延伸して形成する半田付け部３３を備える。
【００１３】
図３に示すように、金属片５０は、矩形状の基板５１を備える。基板５１の両側には、前後に延伸する開口５２をそれぞれ開設する。開口５２の後端縁は、下方へと曲げて延伸し、停止部５３を形成する。開口５２の前端縁は、後方へと延伸し、さらに上方へと曲げて突出し、弧状のはめ込み保持部５４を形成する。基板５１の前端は、上方へと曲げ、前方に傾斜する細長いスライドガイド片５５を形成する。基板５１の両側は、それぞれ外へと水平に延伸し、２個の側翼５６を形成し、内、１個の側翼５６の一端は、外へと向かい延伸し、延伸片５７を形成する。
【００１４】
図１〜７に示すように、導電端子３は、絶縁本体２０内に一体成型する。接触アーム３１は、コネクタ本体２１及び舌部２２底側に固定し、舌部２２底側位置において露出する。連接部３２は、コネクタ本体２１内に固定し、しかも連接部３２の底部及び半田付け部３３は、コネクタ本体２１の下方に位置する。金属片５０と絶縁外殻１０は、射出成型モールドにて一体成型され、基板５１は、絶縁外殻１０の上壁１１内側に固定する。２個の側翼５６は、２個の側壁１４の内側にそれぞれ固定し、しかも延伸片５７はさらに、その内の片側の側壁１４内に固定する。スライドガイド片５５は、上壁１１前端の底部に固定し、対応接続コネクタ(図示なし)の挿入を導引する。はめ込み保持部５４は、絶縁外殻１０の収容設置部１７内に位置する。停止部５３は、収容空間１５の後端に位置する。最後に、絶縁本体２０と導電端子３０の組合せを、絶縁外殻１０内に組み合わせる。その内、絶縁本体２０の舌部２２は、収容部１３１及び挿入接続部１３３を通過後、絶縁外殻１０の収容空間１５内に進入する。
【００１５】
コネクタ本体２１は、収容部１３１内にはめ込み固定する。はめ込み保持ブロック２１１は、収容部１３１両側壁の内側にはめ込み保持する。半田付け部３３は、貫通部１３２内に定位し、しかも下方へと貫通部１３２を貫通し、コネクタ本体２１底部において露出し、これにより印刷回路板(図示なし)上に半田付けされる。半田付け補助片４０の固定保持部４１は、はめ込み保持部１６内に固定して保持される。挿入接続部４２は、はめ込み保持部１６の底部から進出し、上記した印刷回路板上に挿入して半田付け接続され、こうしてその半田付けはより堅固となる。
【００１６】
電気コネクタ１と、対応接続コネクタとを対応して接続する時には、上記した対応接続コネクタは、スライドガイド片５５のガイドにより、絶縁外殻１０の収容空間１５内に挿入される。上記した対応接続コネクター頂点部の２個の凸部は、相互に対応する開口５２にスライドして入った後、上方へと跳ね上がり、相互に対応するはめ込み保持部５４とはめ込みが完了するまで、金属片５０内側においてスライド移動する。こうして、上記した対応接続コネクタが、外へと抜け出るのを防止することができる。停止部５３は、上記した対応接続コネクタの対応接続端において停止し、挿入し過ぎなどの状況の発生を防止する。上記した対応接続コネクタの端子と、相互に対応する導電端子３０の接触アーム３１との間には、電気的接触を形成する。
【００１７】
上記したように、本考案の電気コネクタ１は、従来の金属外殻を絶縁外殻１０に置換し、通信装置のアンテナ機能に対する影響を効果的に抑制することができる。金属片５０は、絶縁外殻１０内側に固定し、これにより電気コネクタ１は、通信装置のアンテナ機能に対する影響を抑制できると同時に、対応接続コネクタとの安定的で堅固な接続を実現することができる。
【００１８】
上記の本考案名称と内容は、本考案技術内容の説明に用いたので、本考案を限定するものではない。本考案の精神に基づく等価応用或いは部品（構造）の転換、置換、数量の増減はすべて、本考案の保護範囲に含むものとする。
【産業上の利用可能性】
【００１９】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００２０】
１      電気コネクタ
１０    絶縁外殻
１１    上壁
１２    底壁
１３    後壁
１３１  収容部
１３２  貫通部
１３３  挿入接続部
１４    側壁
１５    収容空間
１６    はめ込み保持部
１７    収容設置部
２０    絶縁本体
２１    コネクタ本体
２１１  はめ込み保持ブロック
２２    舌部
２３    端子部
３０    導電端子
３１    接触アーム
３２    連接部
３３    半田付け部
４０    半田付け補助片
４１    固定保持部
４２    挿入接続部
５０    金属片
５１    基板
５２    開口
５３    停止部
５４    はめ込み保持部
５５    スライドガイド片
５６    側翼
５７    延伸片
【図１】
0003171221.tif 000003
【図２】
0003171221.tif 000004
【図３】
0003171221.tif 000005
【図４】
0003171221.tif 000006
【図５】
0003171221.tif 000007
【図６】
0003171221.tif 000008
【図７】
0003171221.tif 000009